(57)【要約】【課題】入力情報が種々あるときにも特別のデータ入力のときにも使いやすく、運びやすい、キーボード装置を提供すること。【解決手段】実施形態のキーボード装置は、専用キー配列を有する専用キーボード部と、この専用キーボード部を載置すること及び前記専用キーボード部の前方で立ち上がり状態にすることが可能であり、汎用キー配列を有する汎用キーボード部と、前記専用キーボード部が前記立ち上がり状態にされたことを検知するセンサと、を有することを特徴とする。【選択図】図１
2012181667.tif 000002
【特許請求の範囲】
【請求項１】
専用キー配列を有する専用キーボード部と、
この専用キーボード部を載置すること及び前記専用キーボード部の前方で立ち上がり状態にすることが可能であり、汎用キー配列を有する汎用キーボード部と、
前記専用キーボード部が前記立ち上がり状態にされたことを検知するセンサと、
を有することを特徴とするキーボード装置。
【請求項２】
前記専用キーボード部が前記汎用キーボード部に載置された状態では、前記専用キーボード部のキーのみから入力が可能であることを特徴とする請求項１記載のキーボード装置。
【請求項３】
前記立ち上がり状態では、前記専用キーボード部及び前記汎用キーボード部の入力が可能なようにされることを特徴とする請求項２記載のキーボード装置。
【請求項４】
前記汎用キーボード部の前部に横方向に溝部を有しており、前記立ち上がり状態では、前記専用キーボード部の下端が前記溝部に挿入されることを特徴とする請求項３記載のキーボード装置。
【請求項５】
前記専用キーボード部が、前記汎用キーボード部上でスライド可能であり、前記立ち上がり状態では、前記専用キーボード部の上部が立ち上がる状態となることを特徴とする請求項３記載のキーボード装置。
【請求項６】
前記専用キーボード部の両側面の下部に突起を有し、前記汎用キーボード部の両側面に設けられたガイド溝にそって前記突起が移動可能であることを特徴とする請求項５記載のキーボード装置。
【発明の詳細な説明】
【技術分野】
【０００１】
本発明の実施形態は、専用キーボードと汎用キーボードを有する、キーボード装置に関する。
【背景技術】
【０００２】
一般に用いられるキーボードは、コンピュータ等の入力装置として用いられている。入力装置としてマウス等もあるが、多くの情報を正確に入力する場合にはこのキーボードは欠かせない。このキーボードは、一般的に用いられる汎用キーボードと、特別の入力の用途に特化した専用キーボードに大別される。しかし、一般的な情報を入力する場合と、特別のデータを入力する場合があるときには、これらのキーボードを使い分ける方が好ましい。そのような場合に用いるキーボードとして、メインキーボードとサブキーボードから成るキーボードシステムが知られている（特許文献１参照）。
【０００３】
しかし、これでは汎用キーボードとして用いるとき、サブキーボードをメインキーボードに接続する必要があり、面倒である。
【０００４】
また、第１の操作部の下に、突出及び収納可能に設けた第２の操作部を有する電気・電子装置が知られている（特許文献２参照）が、このような装置では嵩張り、持ち運びに不便である。
【先行技術文献】
【特許文献】
【０００５】
【特許文献１】特開２００２−３２８７６３号公報
【特許文献２】特開２００８−２１００１４号公報
【発明の概要】
【発明が解決しようとする課題】
【０００６】
本発明は、これら従来のキーボード装置に鑑みてなされたもので、入力情報が種々あるときにも特別のデータ入力のときにも使いやすく、運びやすい、キーボード装置を提供するものである。
【課題を解決するための手段】
【０００７】
上記の課題を解決するために、実施形態では、専用キー配列を有する専用キーボード部と、この専用キーボード部を載置すること及び前記専用キーボード部の前方で立ち上がり状態にすることが可能であり、汎用キー配列を有する汎用キーボード部と、前記専用キーボード部が前記立ち上がり状態にされたことを検知するセンサと、を有することを特徴とするキーボード装置を提供する。
【図面の簡単な説明】
【０００８】
【図１】汎用キーボード部と専用キーボード部が一体となったときの、第１の実施形態の構成を示す断面図である。
【図２】この実施形態の汎用キーボード部のキー配列を示す正面図である。
【図３】この実施形態の専用キーボード部のキー配列を示す正面図である。
【図４】この実施形態において、主に汎用キーボード部を使用するときの構成を示す断面図である。
【図５】この実施形態における、入力装置の電気制御回路の構成例を示す図である。
【図６】この実施形態において、入力制御の動作を説明するためのフローチャートを示す図である。
【図７】汎用キーボード部と専用キーボード部が一体となったときの、第２の実施形態の構成を示す断面図である。
【図８】この実施形態において、主に汎用キーボード部を使用するときの構成を示す側面図である。
【図９】この実施形態において、汎用キーボード部と専用キーボード部が一体となった状態における図７のＡ−Ｂの断面を示す図である。
【図１０】この実施形態における、入力装置の電気制御回路の構成例を示す図である。
【図１１】この実施形態において、入力制御の動作を説明するためのフローチャートを示す図である。
【発明を実施するための形態】
【０００９】
以下、一実施形態のキーボード装置について、図面を用いて説明する。
【００１０】
＜第１の実施形態＞
このキーボード装置の第１の実施形態の断面を図１に示す。キーボード装置１０は、汎用キーボード部１１と、この汎用キーボード部１１の上に取り外し可能に置かれる専用キーボード部１２を有する。汎用キーボード部１１は通常一般的に用いられるキー配置を有するものであり、上面が斜面となる台部１３と、この台部１３上に設けられるキー基板部１４と、このキー基板部１４に設けられたキー部１５を有する。
【００１１】
キー基板部１４に配設されるキー配置の一例の正面図を図２に示す。キー基板部１４には、図１に示すように、その上方で横方向に直線状で断面凹形状の溝部１６を有する。また、キー基板部１４の下方には接触センサ１１ａが設けられ、溝部１６には、接触センサ１１ｂが設けられている。
【００１２】
この汎用キーボード部１１のキー配列は例えば図２に示すようになっている。表面上部に横一列に揃えてファンクションキーＦ１，Ｆ２，Ｆ３・・が設けられ、その下に数字キーが一列に設けられている。その下方には、段違いにアルファベット文字のキーが配設されている。もっとも下部の中央には、スペースキーＳＰが設けられ、下方右下には、画面上、上方、下方、左方向、右方向へ入力位置の移動を行う方向キーＤＫが設けられ、右端中央付近には、実行（ＥＮＴＥＲ）キーＥＴが設けられている。
【００１３】
専用キーボード部１２は、特別のデータ等の入力に用いられるものであり、キー基板部１７と、このキー基板部１７に設けられたキー部１８を有する。キー基板部１７に配設されるキー配置の一例の正面図を図３に示す。キー基板部１７には、図１に示すように、その上方の裏面に板状の突部１９を有する。
【００１４】
キー基板部１７の下方の上記キー基板部１４の接触センサ１１ａに設けられた位置には、突起１２ａを有する。この突起１２ａは、後述するように、専用キーボード部１２の下部が、溝部１６に入れられた時には、接触センサ１１ｂに接触する。
【００１５】
専用キーボード部１２のキー配列の例を図３に示す。その上方、横一列にファンクションキーが設けられ、その下方には、使用頻度の高いキーが使い勝手の良いように、配設されており、ほぼ中央右よりに、テンキーＴＫが設けられ、その右方下には、画面上、上方、下方、左方向、右方向へ入力位置の移動を行う方向キーＤＫが設けられる。方向キーの横の、右端には実行キーＥＴが設けられている。
【００１６】
通常、専ら専用キーボード部１２を用いてデータなどの入力を行うときには、図１に示すように専用キーボード部１２が汎用キーボード部１１に載置された状態で入力を行う。一方、主に汎用キーボード部１１により入力を行うときには図４に示すように、専用キーボード部１２を汎用キーボード部１１から外し、専用キーボード部１２の下端部を汎用キーボード部１１の溝部１６に差し込んだ状態でこのキーボード装置１０を使用する。このような状態を専用キーボード部が立ち上がり状態にあるという。
【００１７】
図５に、この実施形態における、入力装置の電気制御回路の構成の一例を示す。この制御回路は、接触センサ１１ａを含む接触検知部５１ａと、接触センサ１１ｂを含む接触検知部５１ｂと、汎用キーボード入力部５１と、専用キーボード入力部５２と、両方のキーボード部からの入力を選択入力するキー入力選択部５３とを有する。
【００１８】
接触検知部５１ａは、接触センサ１１ａがオンすることにより、専用キーボード部１２が、汎用キーボード部１１の上に載置されていることを検知する。一方、接触検知部５１ｂは、接触センサ１１ｂがオンすることにより、専用キーボード部１２が、汎用キーボード部１１の溝部１６に差し込まれていることを検知する。この状態では、汎用キーボード部１１から入力されることが多いが、専用キーボード部１２から入力されることもある。
【００１９】
このキーボード装置１０における入力選択動作を図６に示すフローチャートに基づいて説明する。ステップＳ６０１で、専用キーボード部１２のキー基板部１７に設けられている突起１２ａにより接触センサ１１ａがオンするかどうか検知される。接触センサ１１ａがオンすれば、図１に示すように専用キーボード部１２が汎用キーボード部１１上に載置されていることを意味するので、キー入力選択部５３では、ステップＳ６０２において専用キーボード部１２からの入力を選択出力する。
【００２０】
一方、ステップＳ６０１で接触センサ１１ａが突起１２ａを検知しないとき（Ｓ６０１；Ｎ）には、次のステップＳ６０３で、接触センサ１１ｂが突起１２ａを検知するかどうか判断する。このステップで、突起１２ａを検知したとき（Ｓ６０３；Ｙ）には、図４に示すように、専用キーボード部を起てた状態にあることを意味するので、ステップＳ６０４で、キー入力選択部５３は汎用キーボード部１１及び専用キーボード部１２の両方からの入力を出力するようにする。このようにして、常に接触センサ１１ａ、１１ｂが突起を検知するかどうか判断する。終わったら再び、ステップＳ６０１に戻って接触センサによる検知を続ける。
【００２１】
この実施形態によれば、汎用キーボード部及び専用キーボード部の構成が簡単であり、しかも円滑に、専用キーボード部からの入力と汎用キーボード部からの入力を切り替えることができる。
【００２２】
＜第２の実施形態＞
第２の実施形態によるキーボード装置の構造を図７に示す。この実施形態では、専用キーボード部を汎用キーボード部から取り外すことなく、円滑に汎用キーボード部を用いることが可能である。図７におけるＡ−Ｂ間の一部断面図を図９に示す。
【００２３】
キーボード装置７０は、汎用キーボード部７１と、この汎用キーボード部７１の上でスライド可能に設けられる専用キーボード部７２を有する。汎用キーボード部７１は通常一般的に用いられるキー配置を有するものであり、上面が斜面となる台部７３と、この台部７３上に設けられるキー基板部７４と、このキー基板部７４に設けられたキー部７５を有する。専用キーボード部７２は、キー基板部７７と、このキー基板部７７に設けられたキー部７８と、キー基板部７７を挟んで両側に設けられるガイド部７９ａ，７９ｂを有する。
【００２４】
ガイド部７９ａ，７９ｂには、キー基板部７４のガイド溝に入る突起８０ａ，８０ｂが設けられている。なお、これらの部分のうち例えばガイド部７９ａの反対側にガイド部７９ｂが設けられている。図面では示されていないが、符号はこのように用いることがある。他の符号についても同様である。
【００２５】
キー基板部７４に配設されるキー配置は上記第１の実施形態と同様に図２に示すようになっている。
【００２６】
この汎用キーボード部７１のキー配列も上記第１の実施形態と同じように例えば図２に示すようになっている。表面上部に横一列にファンクションキーＦ１，Ｆ２，Ｆ３・・が設けられ、その下に数字キーが一列に設けられ、その下方には段違いにアルファベット文字のキーが配設されている。最も下部の中央には、スペースキーＳＰが設けられ、下方右下には、画面上、上方、下方、左方向、右方向へ入力位置の移動を行う方向キーＤＫが設けられ、右端中央付近には、実行（ＥＮＴＥＲ）キーＥＴが設けられている。
【００２７】
但し、上方に設けられている直線状で断面凹形状の溝部１６は設けられておらず、キー基板部７４の両側面には、専用キーボード部７２のガイド部７９ａ，７９ｂをガイドするガイド溝７６ａ，７６ｂが設けられている。このキー基板部７４の両側面のガイド溝７６ａ，７６ｂの下端部及び上端部には、図８に点線で示すように、接触センサ７１ａ，７１ｂが設けられ、専用キーボード部７２を寝かせた状態と起てた状態を検知できるようになっている。この実施形態における電気回路構成を図１０に示す。この構成も第１の実施形態の場合と同様であり、
専用キーボード部７２は、特別のデータ等の入力に用いられるものであり、キー基板部７７と、このキー基板部７７に設けられたキー部７８を有する。キー基板部７７に配設されるキーは例えば図３に示すような配置を有している。
【００２８】
専用キーボード部７２のキー配列は図３に示すように、その上方、横一列にファンクションキーが設けられ、その下方には、使用頻度の高いキーが使い勝手の良いように、配設されており、ほぼ中央右よりに、テンキーＴＫが設けられ、その右方下には、画面上、上方、下方、左方向、右方向へ入力位置の移動を行う方向キーＤＫが設けられる。方向キーの横の、右端には実行キーＥＴが設けられる。
【００２９】
通常、専ら専用キーボード部７２を用いてデータなどの入力を行うときには、図７に示すような状態で入力を行う。一方、主に汎用キーボード部７１により入力を行いたいときには図８に矢印Ｃで示すように、専用キーボード部７２を上方にスライドさせて、突起８０ａ，８０ｂをガイド溝７６ａ，７６ｂ内で移動させることにより、専用キーボード部を起てた状態にする。
【００３０】
この実施形態における、入力装置の電気制御回路の構成の一例を図１０に示す。この制御回路は、接触センサ７１ａを含む接触検知部９１ａと、接触センサ７１ｂを含む接触検知部９１ｂと、汎用キーボード入力部９１と、専用キーボード入力部９２と、両方のキーボード部からの入力を選択入力するキー入力選択部９３とを有する。
【００３１】
接触検知部９１ａは、接触センサ７１ａがオンすることにより、専用キーボード部７２が、汎用キーボード部７１の上に載置されていることを検知する。一方、接触検知部９１ｂは、接触センサ７１ｂがオンすることにより、専用キーボード部７２の下端が、汎用キーボード部７１のガイド溝部７６ａの上端部に来ていることを検知する。この状態では、汎用キーボード部７１から入力されることが多いが、専用キーボード部７２から入力されることもある。
【００３２】
このキーボード装置における入力選択動作を図１１に示すフローチャートに基づいて説明する。ステップＳ１００１で、専用キーボード部７２のキー基板部７７に設けられている突起８０ａにより接触センサ７１ａがオンするかどうか検知される。接触センサ７１ａがオンすれば、図７に示すように専用キーボード部７２が汎用キーボード部７１上に載置されていることを意味するので、入力選択部９３では、ステップＳ１００２において専用キーボード部７２からの入力を選択出力する。
【００３３】
一方、ステップＳ１００１で接触センサ７１ａが突起８０ａを検知しないとき（Ｓ１００１；Ｎ）には、次のステップＳ１００３で、接触センサ７１ｂが突起８０ａを検知するかどうか判断する。このステップで、突起８０ａを検知したとき（Ｓ１００３；Ｙ）には、図８に示すように、専用キーボード部を起てた状態にあることを意味するので、ステップＳ１００４で、キー入力選択部９３は汎用キーボード部７１及び専用キーボード部７２の両方からの入力を出力するようにする。このようにして、常に接触センサ７１ａ、７１ｂが突起を検知するかどうか判断する。終わったら再び、ステップＳ１００１に戻って接触センサによる検知を続ける。
【００３４】
この実施形態によれば、専用キーボード部を取り外すことなく円滑に、汎用キーボード部を使用することが可能となる利点がある。
【００３５】
上記第１の実施形態及び第２の実施形態では、図２及び図３に示す汎用キーボード配列、専用キーボード配列のキーボード部を有する例について説明したが、勿論このような配列に限られるものではない。
【００３６】
上記第１、第２の実施形態では、専用キーボード部が汎用キーボード部に載置された状態のときと、立ち上がった状態のときの両方で接触センサにより、それらの状態を検知していた。しかし、これらの一方で検知するようにしてもよい。
【００３７】
いくつかの実施形態によれば、入力情報が種々あるときにも特別のデータ入力のときにも使いやすく、運びやすい、キーボード装置が得られる。
【００３８】
本発明のいくつかの実施形態を説明したがこれらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
１０、７０・・・キーボード装置、
１１、７１・・・・汎用キーボード部、
１１ａ，１１ｂ，７１ａ，７１ｂ・・・・接触センサ、
１２、７２・・・・専用キーボード部、
１３、７３・・・・台部、
１４、１７、７４、７７、・・・・キー基板部、
１５、１８，７５，７８・・・・キー部、
１６・・・・溝部、
１２ａ、１９、８０ａ・・・・突起、
５１ａ、７１ａ・・・・接触検知部、
５１、９１・・・・汎用キーボード入力部、
５２、９２・・・・専用キーボード入力部、
５３、９３・・・・キー入力選択部。
【図１】
2012181667.tif 000003
【図２】
2012181667.tif 000004
【図３】
2012181667.tif 000005
【図４】
2012181667.tif 000006
【図５】
2012181667.tif 000007
【図６】
2012181667.tif 000008
【図７】
2012181667.tif 000009
【図８】
2012181667.tif 000010
【図９】
2012181667.tif 000011
【図１０】
2012181667.tif 000012
【図１１】
2012181667.tif 000013